(57)【要約】【課題】ユーザに煩雑な作業を強いることなく複数種類の既存のアダプタをアダプタホルダに取付けることができるアダプタホルダシステムを提供することを目的とする。【解決手段】アダプタホルダシステムは、係合片１４、複数のコネクタ同士の接続を固定するアダプタ３０が嵌合可能な嵌合孔１２、を有した個別パネル１０と、係合片１４との係合によって個別パネル１０が取付けられる係合孔２４、嵌合孔１２に嵌合したアダプタ３０を逃がす逃げ孔１２、を有したアダプタホルダ１００と、を備えている。【選択図】図１
2010192120.tif 000002
【特許請求の範囲】
【請求項１】
係合部、複数のコネクタ同士の接続を固定するアダプタが嵌合可能な嵌合孔、を有した個別パネルと、
前記係合部と係合する被係合部、前記嵌合孔に嵌合した前記アダプタを逃がす逃げ孔、を有したアダプタホルダと、を備えたアダプタホルダシステム。
【請求項２】
前記個別パネルは、前記アダプタの種類に応じて形状が異なる複数の個別パネルを含む、請求項１のアダプタホルダシステム。
【請求項３】
前記アダプタホルダは、第１面及び第２面を有し、
前記個別パネルは、前記アダプタホルダの第１面及び第２面に選択的に取付け可能である、請求項１又は２のアダプタホルダシステム。
【請求項４】
前記嵌合孔は、複数の嵌合孔を含み、
前記逃げ孔は、前記複数の嵌合孔のそれぞれに嵌合した複数の前記アダプタを逃す単一の孔である、請求項１乃至３の何れかのアダプタホルダシステム。
【請求項５】
前記アダプタは、前記嵌合孔に嵌合可能な本体部と、前記アダプタ本体に設けられたフランジ部と、前記嵌合孔に前記アダプタ本体が嵌合した時に前記フランジ部と協働して前記個別パネルを挟む弾性片と、を含み、
前記個別パネルの厚みは、前記フランジ部と前記弾性片との距離に応じて設定されている、請求項１乃至４の何れかのアダプタホルダシステム。
【請求項６】
前記アダプタホルダは、支持板と、前記支持板により支持され前記被係合部及び前記逃げ孔を有したホルダパネルと、を含む、請求項１乃至５の何れかのアダプタホルダシステム。
【発明の詳細な説明】
【技術分野】
【０００１】
本発明は、アダプタホルダシステムに関する。
【背景技術】
【０００２】
複数のコネクタ同士の接続をするためのアダプタが知られている。コネクタには、形状が相違する複数の種類がある。接続対象であるコネクタの種類に応じて、アダプタにも形状の相違する複数の種類がある。また、このようなアダプタを複数保持できるアダプタホルダが知られている。特許文献１、２にはこのようなアダプタに関する技術が開示されている。例えば特許文献１には、複数の種類のコネクタを収納可能なアダプタが開示されている。
【先行技術文献】
【特許文献】
【０００３】
【特許文献１】特開平６−３６８３１号公報
【特許文献２】特開２０００−３１４８２８号公報
【発明の概要】
【発明が解決しようとする課題】
【０００４】
特許文献１に開示されている技術では、既存のアダプタを用いることはできない。特許文献２に開示されている技術では、ユーザに煩雑な組み付け作業を強いる。
【０００５】
そこで本発明は上記の課題に鑑みてなされたものであり、ユーザに煩雑な作業を強いることなく複数種類の既存のアダプタをアダプタホルダに取付けることができるアダプタホルダシステムを提供することを目的とする。
【課題を解決するための手段】
【０００６】
本明細書に開示のアダプタホルダシステムは、係合部、複数のコネクタ同士の接続を固定するアダプタが嵌合可能な嵌合孔、を有した個別パネルと、前記係合部と係合する被係合部、前記嵌合孔に嵌合した前記アダプタを逃がす逃げ孔、を有したアダプタホルダと、を備えている。
【０００７】
個別パネルをアダプタの種類に応じて複数用意することにより、種類の異なる複数のアダプタをアダプタホルダに取付けることができる。従って、アダプタホルダには、複数種類の既存のアダプタをアダプタホルダに取付けることができる。また、個別パネルをアダプタホルダに取付け、その後にアダプタを個別パネルの嵌合孔に嵌合させることにより、ユーザに煩雑な作業を強いることなくアダプタホルダにアダプタを取付けることができる。
【発明の効果】
【０００８】
ユーザに煩雑な作業を強いることなく複数種類の既存のアダプタをアダプタホルダに取付けることができるアダプタホルダシステムを提供できる。
【図面の簡単な説明】
【０００９】
【図１】個別パネルとホルダパネルとの説明図である。
【図２】アダプタの説明図である。
【図３】アダプタの取付けの説明図である。
【図４】個別パネルの変形例の説明図である。
【図５】厚みが相違した個別パネルの説明図である。
【図６】アダプタホルダの説明図である。
【図７】本実施例のアダプタホルダとは構造が異なるアダプタホルダの説明図である。
【図８】個別パネル及びホルダパネルの変形例の説明図である。
【図９】アダプタホルダの変形例の説明図である。
【発明を実施するための形態】
【００１０】
以下、実施形態について図面を参照して説明する。
【００１１】
図１Ａ、Ｂは、個別パネルとホルダパネルとの説明図である。尚、ホルダパネル２０は、後述するアダプタホルダに含まれるが、図１Ａは、ホルダパネル２０の一部分を示している。図１Ａに示すように、個別パネル１０、ホルダパネル２０は、平板状に形成されている。個別パネル１０は、例えば合成樹脂製であってもよいし、金属製であってもよい。個別パネル１０には、２つの嵌合孔１２が縦方向に並ぶように設けられている。嵌合孔１２は、矩形状である。嵌合孔１２には、後述するアダプタが嵌合する。個別パネル１０の両側端部には、係合片１４が設けられている。係合片１４は、個別パネル１０の背面側に向けて突出している。係合片１４の先端は、下方に延びている。係合片１４は、係合部に相当する。
【００１２】
ホルダパネル２０には、逃げ孔２２が設けられている。逃げ孔２２は、縦長の矩形状である。逃げ孔２２の両側部には係合孔２４が設けられている。逃げ孔２２は、複数の嵌合孔１２のそれぞれに嵌合した、後述する複数のアダプタを逃す単一の孔である。係合孔２４は、縦方向に延びたスリット状である。係合孔２４内に係合片１４が挿入されることにより係合孔２４と係合片１４とは係合し、個別パネル１０はホルダパネル２０に取付けられる。係合孔２４は、被係合部に相当する。ホルダパネル２０は、例えば合成樹脂製であってもよいし、金属製であってもよい。
【００１３】
図１Ｂは、個別パネル１０の表面を示している。個別パネル１０の表面には、２つの嵌合孔１２を見分けるための文字が記載されている。また、嵌合孔１２の表面にはラベルＬが貼り付けられている。ラベルＬから文字などを記入することができる。尚、図１Ｂ以外の図面においては、個別パネル１０に記載された文字等は省略してある。
【００１４】
図２Ａ、Ｂは、アダプタの説明図である。図２Ａにはアダプタ３０が、図２Ｂにはアダプタ３０ａが示されている。アダプタ３０、３０ａは、互いに形状が異なっている。図２Ａに示しているアダプタ３０は、本体部３１、フランジ部３４、弾性片３５を含む。本体部３１は角筒状である。本体部３１の両側面には、フランジ部３４が設けられている。また、本体部３１の両側面には弾性片３５が設けられている。本体部３１、フランジ部３４は合成樹脂製である。弾性片３５は、金属製である。本体部３１の内部には、光ファイバのコネクタが挿入可能である。アダプタ３０は、光ファイバ同士の接続を固定する。詳細には、本体部３１の内部で、光ファイバのコネクタ同士を接続可能である。これによりコネクタ同士の接続が固定される。即ち、アダプタ３０はコネクタ同士の接続を固定するためのものである。
【００１５】
アダプタ３０ａは、本体部３１ａ、フランジ部３４ａ、弾性片３５ａを含む。本体部３１ａ、フランジ部３４ａ、弾性片３５ａは、合成樹脂製であり、一体に形成されている。光ファイバのコネクタには形状が相違した複数の種類がある。アダプタ３０、３０ａは、それぞれ異なる種類のコネクタに対応している。
【００１６】
図３Ａ〜Ｃは、アダプタの取付けの説明図である。図３Ａに示すように、ホルダパネル２０の係合孔２４に個別パネル１０の係合片１４を挿入することにより、個別パネル１０はホルダパネル２０に取付けられる。尚、係合片１４の先端部は下方に延びているので、係合孔２４に係合片１４を挿入した後は、個別パネル１０の自重により、係合孔２４と係合片１４との係合状態が維持される。ホルダパネル２０に個別パネル１０を取付けた後に、個別パネル１０の嵌合孔１２にアダプタ３０を挿入することにより、嵌合孔１２にアダプタ３０が嵌合する。これにより、アダプタ３０がホルダパネル２０に取付けられる。
【００１７】
尚、アダプタ３０がホルダパネル２０に取付けられることにより、個別パネル１０とアダプタ３０との自重によって係合孔２４と係合片１４との係合状態が安定する。この状態でホルダパネル２０に光ケーブルを接続することにより、個別パネル１０とアダプタ３０と光ケーブルとの自重によって、係合孔２４と係合片１４との係合が外れることが防止される。
【００１８】
嵌合孔１２とアダプタ３０との嵌合について説明する。弾性片３５に近い側の本体部３１の端部を先端部と称し、弾性片３５から離れた側の本体部３１の端部を後端部と称する。図３Ｃに示すように、本体部３１の先端部を、弾性片３５が形成されている側から嵌合孔１２に挿入する。尚、図３Ｃにおいては、ホルダパネル２０を省略してある。弾性片３５が嵌合孔１２を通過する際には、嵌合孔１２の縁によって弾性片３５が本体部３１側に弾性変形する。弾性片３５が嵌合孔１２を通過すると、フランジ部３４と弾性片３５の先端とによって個別パネル１０が挟まれる。フランジ部３４は、嵌合孔１２の横幅の長さ、逃げ孔２２の横幅の長さよりも長く形成されている。即ち、フランジ部３４は、本体部３１が嵌合孔１２を通過することを規制する機能を有している。個別パネル１０がフランジ部３４と弾性片３５とに挟まれることにより、本体部３１が嵌合孔１２に嵌合した嵌合状態が維持される。
【００１９】
尚、アダプタ３０を個別パネル１０、ホルダパネル２０から取り外す際には、弾性片３５を本体部３１に向けて押圧して、本体部３１を後端側に押すことによって取り外すことができる。個別パネル１０をホルダパネル２０から取り外す際には、アダプタ３０を取り外した状態で個別パネル１０をホルダパネル２０に対して上方にスライドさせる。次に個別パネル１０をホルダパネル２０の手前側に引っ張ることにより個別パネル１０を取り外すことができる。
【００２０】
図４Ａ〜Ｄは、個別パネルの変形例の説明図である。尚、図４Ａ〜Ｄに示しているホルダパネル２０は全て同一のものである。図４Ａに示すように、個別パネル１０ａには、嵌合孔１２ａが一つのみ設けられている。また、嵌合孔１２ａの形状は、アダプタ３０ａの形状に対応している。従って、個別パネル１０ａを用いることにより、アダプタ３０ａをホルダパネル２０に取付けることができる。
【００２１】
図４Ｂに示すように、個別パネル１０ｂには、嵌合孔１２ｂが一つのみ設けられている。単一の嵌合孔１２ｂの形状は、２つのアダプタ３０ａの形状に対応している。従って、嵌合孔１２ｂには２つのアダプタ３０ａを嵌合させることができる。
【００２２】
図４Ｃに示すように、個別パネル１０ｃは、嵌合孔１２ｃが一つのみ設けられている。嵌合孔１２ｃの形状は、アダプタ３０の形状に対応している。個別パネル１０、１０ｃを用いることにより、アダプタ３０をホルダパネル２０に取付けることができる。図４Ｄは、図４Ａに示した個別パネル１０ａ、ホルダパネル２０ａ、アダプタ３０ａを背面側から見た斜視図である。
【００２３】
図５Ａ、Ｂは、厚みが相違した個別パネルの説明図である。図５Ａ、Ｂに示すように、アダプタ３０、３０ｃにおいては、フランジ部３４と弾性片３５との隙間の長さが異なっている。アダプタ３０でのフランジ部３４と弾性片３５との間隔の長さは、アダプタ３０ｃでのフランジ部３４と弾性片３５との間隔の長さよりも短い。また、個別パネル１０の厚さは、個別パネル１０ｄの厚さよりも薄い。アダプタ３０のように、フランジ部３４と弾性片３５との間隔の長さが比較的短い場合には、比較的厚みの薄い個別パネル１０を用いて、アダプタ３０をホルダパネル２０に取付けることができる。アダプタ３０ｃのように、フランジ部３４と弾性片３５との間隔の長さが比較的長い場合には、比較的厚みのある個別パネル１０ｄを用いて、アダプタ３０ｃをホルダパネル２０に取付けることができる。
【００２４】
例えば、上述した間隔が比較的長いアダプタに、比較的厚みの薄い個別パネルを用いると、アダプタの取付け後に弾性片の先端と個別パネルとの隙間が大きくなり、アダプタががたつく恐れがある。しかしながら、上述したように、フランジ部３４と弾性片３５との間隔の長さに応じて、厚みの相違する個別パネル１０、１０ｃを用いることにより、アダプタがガタつくことが防止できる。
【００２５】
また、例えば、上述した間隔が比較的短いアダプタに、比較的厚さのある個別パネルを用いると、アダプタの取付け後においても弾性片の先端が個別パネルと接触し、アダプタが取り外しにくくなる恐れがある。しかしながら、個別パネルの厚みを調整することにより、アダプタの取付け後の弾性片と個別パネルとの間隔を確保することができ、アダプタの取外しを容易にすることができる。
【００２６】
図６は、アダプタホルダシステムの説明図である。アダプタホルダシステムは、アダプタホルダ１００と個別パネル１０、１０ａを含む。アダプタホルダ１００は、ホルダパネル２０、ホルダパネル２０を支持する支持板７０とを含む。アダプタホルダ１００は、主にラックマウント型の通信装置に採用される。ホルダパネル２０、支持板７０は金属製である。ホルダパネル２０、支持板７０の何れも平板状に形成されている。ホルダパネル２０には、複数の逃げ孔２２が設けられている。各逃げ孔２２に対応して逃げ孔２２の両側部に係合孔２４が設けられている。ホルダパネル２０には、個別パネル１０、１０ａが取付けられている。これにより、ホルダパネル２０にアダプタ３０、３０ａを取付けることができる。
【００２７】
図７は、本実施例のアダプタホルダ１００とは構造が異なるアダプタホルダ１００ｘの説明図である。図７に示すように、ホルダパネル２０ｘには、同一形状の逃げ孔２２ｘが複数設けられている。逃げ孔２２ｘには、アダプタ３０ａが直接嵌合している。逃げ孔２２ｘは、アダプタ３０ａの形状に対応した形状に形成されている。アダプタ３０ａの両側から、光ファイバ２００が接続されている。光ファイバ２００の先端にはコネクタ２１０が取付けられている。コネクタ２１０同士がアダプタ３０ａ内に接続している。このようなホルダパネル２０ｘには、アダプタ３０ａにのみ対応した逃げ孔２２ｘが設けられているため、アダプタ３０ａとは形状の異なるアダプタ３０等を取付けることはできない。このため、アダプタ３０をホルダパネル２０ｘに取付けようとすると、アダプタ３０用のアダプタホルダを新たに用意する必要がある。
【００２８】
しかしながら、図６に示したアダプタホルダ１００においては、新たなアダプタホルダ１００を用意することなく、複数種類のアダプタをアダプタホルダ１００に取付け可能となる。即ち、アダプタに対応した個別パネルを用意してこの個別パネルをアダプタホルダ１００に取付けることによって、複数種類のアダプタをアダプタホルダ１００に取付け可能となる。これにより、新たにアダプタホルダ１００を用意する必要がない。また、製造者はアダプタホルダ１００を製造して、各アダプタに対応した個別パネルのみを製造すればよいので、製造コストが抑制される。
【００２９】
また、図６に示したアダプタホルダ１００においては、個別パネル１０、１０ａを、ホルダパネル２０の表面及び裏面に選択的に取付けることができる。従って、個別パネルの取付け、取外し作業が容易となる。また、個別パネル１０等は容易にホルダパネル２０に取付けることができるので、ユーザに煩雑な作業を強いることなく、アダプタホルダ１００にアダプタを取付けることができる。また、各アダプタに対応した個別パネルを用意することにより、複数種類の既存のアダプタをアダプタホルダ１００に取付けることができる。
【００３０】
また、アダプタホルダ１００に取付けられたアダプタ３０ａを取り外した後は、本実施例のアダプタホルダ１００と構造が相違するアダプタホルダ１００ｘに取付けることができる。
【００３１】
次に、個別パネル及びホルダパネルのその他の変形例について説明する。図８Ａ〜Ｃは、個別パネル及びホルダパネルの変形例の説明図である。図８Ａに示すように、個別パネル１０ｅは、上端部と下端部とに係合片１４ｅが設けられている。係合片１４ｅの先端は、下方に向けて延びている。係合片１４ｅに対応して、ホルダパネル２０ｅには、逃げ孔２２の上部及び下部に係合孔２４ｅが設けられている。係合孔２４ｅは横方向に延びている。このような構造により、ホルダパネル２０ｅに個別パネル１０ｅを容易に取付けることができる。
【００３２】
図８Ｂに示すように、個別パネル１０ｅの対角線上には２つの係合ピン１４ｆが設けられている。ホルダパネル２０ｆには、逃げ孔２２の隅と対向するように４つの係合孔２４ｆが設けられている。係合孔２４ｆは、上方から下方にかけて小さくなる形状である。係合孔２４ｆでの孔の大きな部分から係合ピン１４ｆを挿入して、挿入した状態で、係合孔２４ｆの孔の小さな部分に係合ピン１４ｆが嵌ることにより、個別パネル１０ｆがホルダパネル２０ｆに取付けられる。係合孔２４ｆが逃げ孔２２の隅と対向するように４つ設けられていることにより、個別パネル１０ｆをホルダパネル２０ｆの表面側又は裏面側から選択的に取付けることができる。
【００３３】
図８Ｃに示すように、個別パネル１０ｇの隅に４つの係合片１４ｇが設けられている。また、ホルダパネル２０ｇには、２つの係合孔２４ｇが設けられている。個別パネル１０ｇへのホルダパネル２０ｇの取付けは、２つのネジＳによって行われる。係合片１４ｇが個別パネル１０ｇの隅に４つ設けられているので、個別パネル１０ｇをホルダパネル２０ｇの表面側又は裏面側から選択的に取付けることができる。
【００３４】
図９は、アダプタホルダの変形例の説明図である。図９に示すように、アダプタホルダ１００ｈのホルダパネル２０ｈには、縦方向に長い矩形状の逃げ孔２２ａが複数設けられている。一つの逃げ孔２２ｈに対して、その両側部に係合孔２４ｈが６つ設けられている。
【００３５】
ホルダパネル２０ｈには、上述した個別パネル１０、１０ａのみならず、個別パネル１０ｈ、１０ｉが取付けられている。個別パネル１０ｈ、１０ｉは、嵌合孔が３つ以上設けられている。個別パネル１０ｈに設けられた嵌合孔は、アダプタ３０を形状に対応している。個別パネル１０ｉに設けられた嵌合孔は、アダプタ３０ａの形状に対応している。これによっても既存の複数種類のアダプタをアダプタホルダ１００ｈに取付けることができる。
【００３６】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３７】
上記実施例において光ファイバのコネクタの接続を固定するアダプタを例に説明したが、光ファイバ以外のケーブルに設けられたコネクタの接続を固定するアダプタを対象としてもよい。
【符号の説明】
【００３８】
１０  個別パネル
１２  嵌合孔
１４  係合片
２０  ホルダパネル
２２  逃げ孔
２４  係合孔
３０  アダプタ
３１  本体部
３４  フランジ部
３５  弾性部
１００  アダプタホルダ
【図１】
2010192120.tif 000003
【図２】
2010192120.tif 000004
【図３】
2010192120.tif 000005
【図４】
2010192120.tif 000006
【図５】
2010192120.tif 000007
【図６】
2010192120.tif 000008
【図７】
2010192120.tif 000009
【図８】
2010192120.tif 000010
【図９】
2010192120.tif 000011